(57)【要約】【課題】メモリカードの脱落防止のためのロック部を備えた板ばね部をカバーシェル若しくはベースシェルに一体化した部品として扱え、且つ組み付けが容易なメモリカード用コネクタ装置を提供することにある。【解決手段】カバーシェル２はスライダー５の脚片５ｃの上面の後部に対応する部位に後端を上記カバーシェル２に一体連結し、該連結部位１０２から前端部１０３までの板面がカバーシェル２の上面と直交する向きで、左右方向に揺動自在に切り起こしにより垂下させた板ばね部１００を備えている。この板ばね部１００の前端部１０３には内側方向に折り曲げてロック部１０１を形成している。このロック部１０１はメモリカードＭＣとともに後退移動するスライダー５が所定位置に移動したときにメモリカードＭＣの凹部３７に係入してメモリカードＭＣをロックする。【選択図】図１
2004071175.tif 000002
【特許請求の範囲】
【請求項１】
ベースシェルと、該ベースシェル上に被着する金属板製のカバーシェルとで形成され、前部にメモリカード挿入口を開口した箱状のコネクタ本体と、メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されたコンタクトブロックと、該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動する合成樹脂成形品からなるスライダーと、該スライダーを前方方向へ常時付勢する付勢用ばねと、上記スライダーの最後部位置への移動後のメモリカードへの押し込み力の解錠時に上記スライダーを所定位置でロックし、該ロック後にメモリカードへの押し込み力が加わって上記スライダーが後方移動するときにロックを解除するロック手段とからなるメモリカード用コネクタ装置において、
上記スライダーには、移動方向に直交し上記メモリカード挿入口を介して上記コネクタ本体内に挿入されるメモリカードの挿入方向の先端面を前面で受ける横片と、該横片の少なくとも一側端から移動方向に並行するように前方へ延出した脚片とを備え、
上記金属板製のカバーシェルには、上記スライダーの脚片の上面に対応する部位に後端が上記カバーシェルに一体連結され、該連結部位から前端部までの板面が上記カバーシェルの上面と直交する向きで、左右方向に揺動自在に垂下させた板ばね部を備え、
該板ばね部には、上記連結部位から前端部に亘る部位の中間部をＺ字状に屈曲させて内側方へ突出する屈曲部を形成するとともに前端部を内側方向に折り曲げてロック部を形成し、
上記スライダーの脚片には、上記板ばね部に対応する上面に上記板ばね部を収容する上面開口の凹所を設けるとともに、一端が内側側面に開口し、他端が凹所に連通して上記ロック部をスラーダー内へ出没させる開口部を設け、該開口部より後方に位置する凹所の側壁の内側面に、メモリカードの挿入による上記スライダーの後方移動位置が所定位置に至るまで上記屈曲部の当接で上記ロック部が上記開口部より上記スライダー内に突出しないように規制し、上記スライダーの後方移動位置が所定位置に至ると規制を解除して上記ロック部を上記開口部より上記スライダー内へ突出させるカム面を形成し、
上記脚片の内側面より上記スライダー内へ突出する上記ロック部を上記脚片に対応するメモリカードの一側部に設けた凹部に係入してメモリカードをロックすることを特徴とするメモリカード用コネクタ装置。
【請求項２】
上記凹所の側壁の上面に該凹所側へ傾斜した傾斜面を形成していることを特徴とする請求項１記載のメモリカード用コネクタ装置。
【請求項３】
上記ロック部がメモリカードの凹部に係入している状態で、該ロック部の背方に位置する上記凹所の底面に、上記板ばね部の背方への撓みによる上記ロック部の上記凹部からの離脱を防止する撓み規制用突部を一体に設けて成ることを特徴とする請求項１又２記載のメモリカード用コネクタ装置。
【請求項４】
上記板ばね部が上記カバーシェルから切り起こしにより一体形成したものであることを特徴とする請求項１乃至３の何れか記載のメモリカード用コネクタ装置。
【請求項５】
金属板製ベースシェルと、該ベースシェル上に被着するカバーシェルとで形成され、前部にメモリカード挿入口を開口した箱状のコネクタ本体と、メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されたコンタクトブロックと、該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動する合成樹脂成形品からなるスライダーと、該スライダーを前方方向へ常時付勢する付勢用ばねと、上記スライダーの最後部位置への移動後のメモリカードへの押し込み力の解錠時に上記スライダーを所定位置でロックし、該ロック後にメモリカードへの押し込み力が加わって上記スライダーが後方移動するときにロックを解除するロック手段とからなるメモリカード用コネクタ装置において、
上記スライダーには、移動方向に直交し上記メモリカード挿入口を介して上記コネクタ本体内に挿入されるメモリカードの挿入方向の先端面を前面で受ける横片と、該横片の少なくとも一側端から移動方向に並行するように前方へ延出した脚片とを備え、
上記金属板製のベースシェルには、上記スライダーの脚片の下面に対応する部位に後端がベースシェルに一体連結され、該連結部位から前端部に至る部位の板面が上記ベースシェルの上面と同じ向きで上下方向に撓み自在に配置した板ばね部を備え、
該板ばね部には、上記連結部位から前端部に亘る部位の中間部にＺ字状に屈曲させて上向に突出する屈曲部を形成するとともに、上記前端部から上記スライダーの脚片に直交する方向に上記スライダー内へ延設して該スライダー内に先端を臨ませる延設片と該延設片の先端から更に脚片の内側側面に並行するように前方へ延設して形成した前方延設片と該前方延設片の先端を上向きに折り曲げて形成したロック部とを設け、
上記スライダーの脚片には、上記板ばね部に対応する下面に、上記板ばね部を収容する下面開口で且つ上記ロック部をスライダー内へ突出させるように側面開口した凹所を設けるとともに、該凹所の天井面にメモリカードの挿入による上記スライダーの後方移動位置が所定位置に至るまで上記板ばね部の屈曲部の当接で上記板ばね部を下方に撓ませて上記ロック部の上端位置をメモリカードの側部の下面位置以下に規制し、上記スライダーの後方移動位置が所定位置に至ると規制を解除して上記ロック部をメモリカードの側部の下面位置より上方へ突出させるカム面を形成し、
上記脚片に対応するメモリカードの一側部に設けた下面開口の凹部に下方から上記ロック部を係入してメモリカードをロックすることを特徴とするメモリカード用コネクタ装置。
【請求項６】
上記板ばね部が上記ベースシェルから切り起こしにより一体形成したものであることを特徴とする請求項１乃至３の何れか記載のメモリカード用コネクタ装置。
【発明の詳細な説明】
【０００１】
【発明の属する技術分野】
本発明は、ＳＤメモリカードやマルチメディアカード等のメモリカードを挿抜自在に接続するためのコネクタ装置に関するものである。
【０００２】
【従来の技術】
図１０、図１１は本発明者らが提案したＳＤメモリカードやマルチメディアカード（ＭＭＣ）のようなメモリカードＭＣに対応せるメモリカード用コネクタ装置の全体の分解斜視図及び全体斜視図を示している。このコネクタ装置は、本発明の主要部以外は共通な構成を備えているものであるので、この従来のコネクタ装置の構造について説明する。
【０００３】
まずこの図示するように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで扁平で前部にメモリカード挿入口４２を開口した箱状のコネクタ本体３をベースシェル１とで構成するカバーシェル２と、コネクタ本体３の後部内に装着されるコンタクトブロック４と、コンタクトブロック４の前方側のコネクタ本体３内に前後方向に移動自在に配置したコ字型の樹脂成形品からなるスライダー５とを主要な構成要素としたものである。
【０００４】
ベースシェル１は両側に上面（コネクタ本体３の内側に対応）側方向に折り曲げて形成した側片６ａ，６ｂを設けたもので、前後端が開放されている。そして後端にはコンタクトブロック４の樹脂製基体７に上下方向に貫通させた圧入孔８に下方から圧入してコンタクトブロック４を後部上面に固定するための突出片９を所定間隔で両側方向に４つ折り曲げ形成している。
【０００５】
また後端よりやや前方位置にはコンタクトブロック４に固持される後述する各コンタクト１０…及びスイッチ片３０ａ，３０ｂ、３１ａ、３１ｂを逃げすための孔１１…を形成してある。
【０００６】
更にまた各側片６ａ，６ｂの後端には各側片６ａ，６ｂの内側面に並行するように設けられるばね座用突片１２，１２の後端が一体連設されている。
【０００７】
これらのばね座用突片１２はスライダー５の付勢用コイルばね１３の座屈を防止するために、付勢用コイルばね１３の一端部内に挿入される。
【０００８】
ところで側片６ａの上記ばね座用突片１２の先端位置よりやや前方位置には内側方向にＬ字状片１４を切り起こしにより形成してある。このＬ字状片１４は図１２に示すようにその立片１４ａに軸孔１４ｂを形成し、この軸孔１４ｂにスライダー５の片側の脚片５ｃの前側の外側面に形成したハートカム溝部１５に一端の軸部１６ｂを移動自在に係入させるピン１６の他端の軸部１６ａを回動自在に軸支するようになっている。
【０００９】
ピン１６はＬ字状片１４の立片１４ａに並行するスライダ−５の脚片５ｃの側面に形成した凹み部内に配置され、上述のように軸部１６ｂを上記ハートカム溝部１５に係入する。
【００１０】
更にベースシェル１の側片６ａの前部には上記ピン１６の側面を側片６ａに並行するスライダー５の上記脚片５ｃ側に押圧する押圧ばね片１７を切り起こし形成してある。
【００１１】
またベースシェル１の前端（メモリカード挿入口４２側）には両側縁が前方に広がるように拡開形成した凹欠を形成し、この凹欠の傾斜辺となる両側縁に沿って上方に向けて逆入れ防止用の突片１８を切り起こしにより形成している。
【００１２】
この突片１８，１８間がメモリカードＭＣのメモリカード挿入口４２に対応し、各突片１８の上部内側縁部には段部１８ａを形成し、この両側の突片１８、１８の段部１８ａ，１８ａより上側の内側縁間の寸法をメモリカードＭＣの両側の最大幅の寸法よりやや大きく設定し、またベースシェル１の上面と段部１８ａの上向き面との間の寸法を、ベースシェル１の上面に裏面側を乗せた状態のメモリカードＭＣの裏面両側縁に前後方向の全長に亘って形成している下向き段部１９の下向き面の高さ寸法よりやや小さい寸法に設定し、且つこの下向き段部１９より下側の内側縁間の寸法をメモリカードＭＣの下向き段部１９より下方の両側幅の寸法よりやや大きく設定してある。
【００１３】
これによりメモリカードＭＣの裏面側をベースシェル１の上面側に載せる状態ではメモリカードＭＣの下向き段部１９が突片１８の段部１８ａ上を通過することができて上記メモリカード挿入口４２からのメモリカードＭＣの挿入を可能とし、逆にメモリカードＭＣの表面をベースシェル１の上面側に向けた場合にはメモリカードＭＣのベースシェル１側となった両側部が両側の突片１８，１８の内側縁間を通過できず、メモリカードＭＣの表裏方向の間違いによる誤挿入を防止するようなっている。
【００１４】
またコンタクトブロック４に右端のコンタクト１０，つまり挿着されるメモリカードＭＣのＩ／Ｏ接触面に最初に接触するコンタクト１０に対応する右端の孔１１の前側（メモリカード挿入口４２側）の内側縁には切り起こしによってストッパ片２６を形成している。つまりメモリカードＭＣの前後方向が正規の方向でメモリカード挿入口４２に挿入される場合には、メモリカードＭＣの裏面に設けたＩ／Ｏ接触面（図示せず）へ誘い込む溝（図示せず）の開口を介してコンタクト１０…は接触位置へ移動することができるが、前後方向を逆にした非正規の方向でメモリカードＭＣが挿入されようとした場合には挿入方向の前面部にストッパ片２６が衝合してそれ以上の移動を規制し、コンタクトブロック４のコンタクト１０…の先部がメモリカードＭＣに挿入側の前面に当たって破損されるのを防ぐようになっている。
【００１５】
一方カバーシェル２は図１３に示すように両側に折り曲げによって下向きの側片２０，２０を一体に設け、また後端には所定間隔で３つの下向きの突出片２１を折り曲げ形成している。これらの突出片２１はベースシェル１上にカバーシェル２を被着する際に、ベースシェル１の上面後端部に配置するコンタクトブロック４の基体７上面に開口するように貫通させている圧入孔２２に圧入してコンタクトブロック４を固定するためのものである。
【００１６】
またこのカバーシェル２の前部側にはコネクタ本体３内に挿入されるメモリカードＭＣの表面に印した［ＳＤ］マークが視認できる窓孔２３を打ち抜き形成するとともに、この窓孔２３の両側には並行するようにスリット２４を打ち抜き形成し、このスリット２４と窓孔２３の間の部位２５の中央部をカバーシェル２の下面よりも下方へ突出させてその突出先端で上記コネクタ本体３内に挿入されるメモリカードＭＣの表面に弾性接触させてメモリカードＭＣを押さえる部位としている。
【００１７】
コンタクトブロック２は、図１４に示すようにメモリカードＭＣの後部裏面に複数（ＳＤメモリでは９つ）並行形成しているＩ／Ｏ接触面に夫々対応接触するコンタクト１０…と、メモリカードＭＣの位置検出用の一対のスイッチ片３０ａ，３０ｂと、メモリカードＭＣのライトプロテクトスイッチＳＷの位置検出用の一対のスイッチ片３１ａ，３１ｂとを樹脂製の基体７にインサート成形によって一体保持させており、基体７の前面（メモリカード挿入口４２）側にはコンタクト１０…及びスイッチ片３０ａ，３０ｂ，３１ａ、３１ｂの接触側を突出させ、後面側には回路基板等に夫々を半田付けするための半田付け端子部３２…（図１４参照）を突出させている。そして基体７は前側上部に段部を設け、この段部に一端が開口するように上記圧入孔８…を上下方向に貫通させ、また基体７の後側上面に一端が開口するように圧入孔２２…を基体７の後部に上下方向に貫通させている。また基体７の両側面にはベースシェル１の後部両側に設けたばね座用突片１２，１２を挿入する付勢用コイルばね１３，１３の一端側部を嵌めてガイドする凹欠４７を設けてある。ここで一側面側の凹欠４７を基体７の下部側に、他側面側の凹欠４７は基体の上部側に夫々設けている。
【００１８】
スライダー５は、図１５に示すように合成樹脂成形品によりコ字型に形成されたものであって、中央片５ａの両端前部より前方へ脚片５ｂ、５ｃを一体突出されてコ字型に形成されものであり、中央片５ａの下面側には、スライダー５の後方移動時にスイッチ片３０ａ，３０ｂ、３１ｃ，３１ｂやコンタクト１０…の先部を前方へ突出させるための凹溝３３…を対応形成してある。
【００１９】
両側脚片５ｂ、５ｃはメモリカードＭＣの左右側部のガイドとして機能するもので、夫々の前端内側面を脚片５ｂ、５ｃの内側面間の距離が外向けに拡開するように傾斜面３４，３４としてある。
【００２０】
また一方の脚片５ｂには上部後端から中央方向に外側部と上部と後端部とが開口した断面略Ｕ型の細溝３５ａを形成し、他方の脚片５ｃには下部後端より中央方向に外側部と下部と後端部とが開口した断面略Ｕ型の細溝３５ｂを形成してある。
【００２１】
これらの細溝３５ａ、３５ｂには上述した付勢用コイルばね１３の他端部が収納されて、細溝３５ａ、３５ｂの前端内面が付勢用コイルばね１３の弾発力を受ける面となっている。ここで両脚片５ｂ、５ｃが均等に付勢用コイルばね１３，１３の弾発力を前方方向に受けることで、スライダー５はコネクタ本体３内をスムーズに前後方向に摺動できることになる。
【００２２】
また両脚片５ｂ、５ｃの内側面の下部には前端から後方に向けてメモリカードＭＣの両側の下向き段部１９を載置摺動するための受けガイド５０ａ、５０ｂを一体に形成してある。
【００２３】
更に一方の脚片５ｃの前部側の外側面にはハートカム溝部１５を形成してある。このハートカム溝部１５はハートカム１５ａとガイド溝１５ｂとから構成され、ピン１６の軸部１６ｂをガイド溝１５ｂに係入し、スライダー５の前後移動に伴い、ガイド溝１５ｂとガイド溝１５ｂの底面に形成した凹凸面１５ｃとでピン１６ｂの軸部１６ｂのガイド溝１５ｂ内の相対的な移動をガイドするようなっている。
【００２４】
また中央片５ａと脚片５ｃとで囲まれた入り隅にはメモリカードＭＣの挿入側の前部の一角に形成した傾斜カット部２７が衝合する傾斜面５ｄを前面に形成した張出部５ｅを設けている。この張出部５ｅには脚片５ｃの外側面に一端が開口し、また膨出部５ｅの上面に開口したスリット溝３６を傾斜面５ｄに並行するように形成している。このスリット溝３６はメモリカードＭＣの一側面に形成したロック用凹部３７に一端を係止させる金属製の弾性を有するロック片３８の他端を係入固定するためのものである。
【００２５】
ロック片３８は他端を上記のスリット溝３６に圧入してスライダー５に取り付けられ、一端をハートカム溝部１５後方の脚片５ｃ上部に形成した凹欠部３９を介して脚片５ｃの内側面側へ臨ませるようになっている。
【００２６】
而してコネクタ装置を組み立てるに当たっては、ベースシェル１の両側片６ａ，６ｂの後端より側片６ａ、６ｂに夫々内側で並行するように折り曲げ形成したばね座用突片１２，１２を付勢用コイルばね１３，１３の一端部内に挿入させることで、付勢用コイルばね１３、１３をベースシェル１の後部両側内に配する。
【００２７】
次いでベースシェル１の上面後部にコンタクトブロック７を載置する。このときベースシェルシェル１の後端に突出させている突出片９…をコンタクトブロック７の圧入溝８…に下方から圧入してコンタクトブロック７をベースシェル１上に固定する。またこの際基体７の両側部に形成した凹欠４７，４７内に付勢用コイルばね１３，１３の後端側部を夫々収納する。次にこのように配置されたコンタクトブロック７の前方側のベースシェル１上にスライダー５を載置する。この際付勢用コイルばね１３，１３の前部をスライダー５の両脚片５ｂ、５ｃの後部側面に形成している細溝３５ａ、３５ｂに嵌める。そしてピン１６の一端の軸部１６ａをベースシェル１の側片６ａから切り起こしているＬ状片１４の立片１４ａの軸孔１４ｂに挿入して軸支させるとともに、ピン１６をスライダー５の脚片５ｃと、ベースシェル１の側片６ａの内側との間に配置し、更にピン１６の他端の軸部１６ｂを脚片５ｃの前部外側面に形成しているハートカム溝部１５に係入する。ピン１６はこのときベースシェル１の側片６ａに設けている押圧ばね片１７により脚片５ｃ方向に付勢される。
【００２８】
ここでスライダー１５は付勢用コイルばね１３，１３により付勢されて前方（カード４２挿入口４２側）へ押し動かされて両脚片５ｂ、５ｃの前端部に形成した傾斜面３４、３４がベースシェル１の前端に設けた突片１８，１８の裏面の傾斜面部に衝合してスライダー１５のそれ以上の前方への移動が規制される。この状態ではピン１６の一端がガイド溝１５ｂの後端へ移動している。そしてスライダー１５には上述のようにロック片３８を取り付ける。
【００２９】
このようにしてベースシェル１上にコンタクトブロック４，スライダー５を配置するとともに、付勢用コイルばね１３，１３、ピン１６，ロック片３８を装着した後、カバーシェル２を上方からベースシェル１に被せる。この際カバーシェル２の後端に形成した突出片２１…をコンタクトブロック４の基体７の圧入孔２１に上方から圧入するとともに、両側片２０，２０をベースシェル１の両側片６ａ，６ｂの外側面に沿うように垂下させる。このときカバーシェル２の両側片２０，２０に切り起こしによって形成された弾性係止片４０…の上向き先部が、ベースシェル１の両側片６ａ，６ｂに対応するように設けた係止孔４１…に係止されることになる。これにより両シェル１，２が互いに結合されて扁平で前部にメモリカードＭＣの挿入口４２を開口した箱状のコネクタ本体３が形成されるとともに同時にコネクタ装置が完成することになる。
【００３０】
次にメモリカードＭＣをコネクタ装置へ挿着する場合の各部の動作について説明する。
【００３１】
まずメモリカードＭＣを前後方向及び表裏方向を正規な方向に向けてコネクタ本体３のメモリカード挿入口４２から挿入すると、メモリカードＭＣの下面両側部の下向き段部１９，１９がベースシェル１の前端に形成している突片１８の段部１８ａ上を通過してメモリカードＭＣの先部がコネクタ本体３内のスライダー５の両脚片５ｂ、５ｃ間に挿入され、受けガイド５０ａ、５０ｂ上に下向き段部１９，１９が乗ることになる。更にメモリカードＭＣをコネクタ本体３内に挿入すると、やがてメモリカードＭＣの先部の片側に形成した傾斜カット部２７がスライダー５の張出部５ｅの傾斜面５ｄに衝合してスライダー５を後方へ押すことになる。また更にスライダー５に加わる付勢用コイルばね１３、１３の弾発力に抗して更にメモリカードＭＣを押し入れると、メモリカードＭＣの移動に共動してスライダー５が後退することになる。このスライダー５の後退によりピン１６の軸部１６ｂはハートカム溝部１５のガイド溝１５ｂの底部の凹凸面１５ｃによってガイドされながらハートカム１５ａの上側のガイド溝１５ｂへ移動することになる。そしてメモリカードＭＣをライダー１５の中央片１５ａの後面がコンタクトブロック４の基体７の前面に当たる位置に近い位置まで押し込むと、ピン１６の軸部１６ｂがガイド溝１５ｂの先端に当たる位置に至ることになり、それ以上の押し込みができなくなる。この位置でメモリカードＭＣに加えていた押し込み力を解除すると、付勢用コイルばね１３の弾発力によりスライダー５がメモリカードＭＣと共に前方へ戻りかけるが、ピン１６の軸部１６ｂがガイド溝１６ａに案内されながら移動してハートカム１５ａの凹部１５ｄに嵌り込むことになる。従ってこれ以上のスライダー５の前方移動が規制され、メモリカードＭＣはその位置でコネクタ本体３内に留まることになる。
【００３２】
さて上記メモリカードＭＣは押し込みによってその先部が所定位置へ移動すると、スライダー５の中央片５ａの下面の凹溝３３…より前方へ突出せる各コンタクト１０…の先部がメモリカードＭＣの裏面に形成した対応するＩ／Ｏ接触面にコンタクト１０…の長さに応じて順次接触することになる。またスライダー５の中央片５ａの凹溝３３を介して前方へ突出せるスイッチ片３０ａの先部がメモリカードＭＣの傾斜カット部２７によって押されて他方のスイッチ片３０ｂに接触するとスイッチオンとなる。このスイッチ信号を利用して外部の検出回路（図示せず）によりメモリカードＭＣが正規位置に挿着されたことを検出することができる。
【００３３】
またスイッチ片３１ａ，３１ｂ側に対応するメモリカードＭＣの一側面にはライトプロテクトのスイッチＳＷの摘み４５が露出する凹部４６を設けており、スイッチＳＷの摘み４５の凹部４６内の移動位置により、スイッチ片３１ｂの先部が摘み４５に乗り上げるか凹部４６内に落ち込むことで下方に位置するスイッチ片３１ａの先部から離れるか接触することになり、このスイッチ信号でメモリカードＭＣがライトプロテクト状態にあるか否かを検出できるようになっている。
【００３４】
上述のスライダー５の移動は上記のハートカム１５ａの凹部１５ｄにピン１６の軸部１６ｂが嵌り込むことで規制されるが、メモリカードＭＣはそのままではコネクタ本体３内より脱落する恐れがある。そこでスライダー５が所定位置へ移動すると、このスライダー５とともに移動するロック片３８の中間部位に形成した突出部３８ａがカバーシェル２側に突出させた突片４４を越えると、突片４４による規制がなくなり、ロック片３８が撓んでその一端が脚片５ｃの内側面方へ凹欠部３９を介して突出し、その一端がメモリカードＭＣの一側部に形成したロック用凹部３７の係入してメモリカードＭＣをロックする。この状態が図１０に示す状態である。
【００３５】
以上のように挿着されたメモリカードＭＣをコネクタ装置より取り出すときには、まずコネクタ本体３のメモリカード挿入口４２より露出せるメモリカードＭＣの後部を挿入方向に押してスライダー５とともにメモリカードＭＣを挿入方向へ移動させる。この移動によってピン１６の軸部１６ｂがハートカム１５ａの凹部１５ｄから離脱するとともにガイド溝１５ｂにガイドされて凹部１５ｄより下方のガイド溝１５ａ内へ移動する。そしてメモリカードＭＣの押し込み力を解除すると、スライダー５は付勢用コイルばね１３，１３の弾発力により前方へ移動することなる。この移動によりカバーシェル２の突片４４がロック片３８の突出部３８ａを越えてロック片３８の基部側へ移動し、ロック片３８の一端を脚片５ｃの凹部内へ戻してメモリカードＭＣのロックを解除する。
【００３６】
同時にピン１６の軸部１６ｂはガイド溝１５ｂにガイドされながらハートカム１５ａの下方のガイド溝１５内を介して移動する。スライダー５は付勢用コイルばね１３，１３の弾発力によりメモリカード挿入口４２側へ移動して図１０に示す状態に復帰することになり、メモリカードＭＣの後部がコネクタ本体３のメモリカード挿入口４２から外部へ大きく露出し、メモリカードＭＣをコネクタ本体３から取り出すことができることになる。
【００３７】
【発明が解決しようとする課題】
ところで上記のようなコネクタ装置では、メモリカードの脱落防止のためのロック片が一つの部品として用いられているため、部品点数が多くまたロック片を組み付けるための作業性も劣るという問題があった。
【００３８】
本発明は、上記の点に鑑みて為された者で、その目的とするところは、メモリカードの脱落防止のためのロック部を備えた板ばね部をカバーシェル若しくはベースシェルに一体化した部品として扱え、且つ組み付けが容易なメモリカード用コネクタ装置を提供することにある。
【００３９】
【課題を解決するための手段】
上記目的を達成するために、請求項１の発明では、ベースシェルと、該ベースシェル上に被着する金属板製のカバーシェルとで形成され、前部にメモリカード挿入口を開口した箱状のコネクタ本体と、メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されたコンタクトブロックと、該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動する合成樹脂成形品からなるスライダーと、該スライダーを前方方向へ常時付勢する付勢用ばねと、上記スライダーの最後部位置への移動後のメモリカードへの押し込み力の解錠時に上記スライダーを所定位置でロックし、該ロック後にメモリカードへの押し込み力が加わって上記スライダーが後方移動するときにロックを解除するロック手段とからなるメモリカード用コネクタ装置において、上記スライダーには、移動方向に直交し上記メモリカード挿入口を介して上記コネクタ本体内に挿入されるメモリカードの挿入方向の先端面を前面で受ける横片と、該横片の少なくとも一側端から移動方向に並行するように前方へ延出した脚片とを備え、上記金属板製のカバーシェルには、上記スライダーの脚片の上面に対応する部位に後端が上記カバーシェルに一体連結され、該連結部位から前端部までの板面が上記カバーシェルの上面と同じ向きで、左右方向に揺動自在に垂下させた板ばね部を備え、該板ばね部には、上記連結部位から前端部に亘る部位の中間部をＺ字状に屈曲させて内側方へ突出する屈曲部を形成するとともに前端部を内側方向に折り曲げてロック部を形成し、上記スライダーの脚片には、上記板ばね部に対応する上面に上記板ばね部を収容する上面開口の凹所を設けるとともに、一端が内側側面に開口し、他端が凹所に連通して上記ロック部をスラーダー内へ出没させる開口部を設け、該開口部より後方に位置する凹所の側壁の内側面に、メモリカードの挿入による上記スライダーの後方移動位置が所定位置に至るまで上記屈曲部の当接で上記ロック部が上記開口部より上記スライダー内に突出しないように規制し、上記スライダーの後方移動位置が所定位置に至ると規制を解除して上記ロック部を上記開口部より上記スライダー内へ突出させるカム面を形成し、上記脚片の内側面より上記スライダー内へ突出する上記ロック部を上記脚片に対応するメモリカードの一側部に設けた凹部に係入してメモリカードをロックすることを特徴とする。
【００４０】
請求項２の発明では、請求項１の発明において、上記凹所の側壁の上面に該凹所側へ傾斜した傾斜面を形成していることを特徴とする。
【００４１】
請求項３の発明では、請求項１又は２記載の上記ロック部がメモリカードの凹部に係入している状態で、該ロック部の背方に位置する上記凹所の底面に、上記板ばね部の背方への撓みによる上記ロック部の上記凹部からの離脱を防止する撓み規制用突部を一体に設けて成ることを特徴とする。
【００４２】
請求項４の発明では、請求項１乃至３の何れかの発明において、上記板ばね部が上記カバーシェルから切り起こしにより一体形成したものであることを特徴とする。
【００４３】
請求項５の発明では、金属板製ベースシェルと、該ベースシェル上に被着するカバーシェルとで形成され、前部にメモリカード挿入口を開口した箱状のコネクタ本体と、メモリカードのＩ／Ｏ接触面に対応するコンタクトを樹脂製基体に両側方向に並行するように保持させ、上記コネクタ本体の後部内に上記コンタクトを上記メモリカード挿入口方向に向けて配置されたコンタクトブロックと、該コンタクトブロックと上記メモリカード挿入口との間の上記コネクタ本体内に前後方向に移動自在に配置され、上記メモリカード挿入口からのメモリカードの挿抜操作に伴ってメモリカードとともに前後移動する合成樹脂成形品からなるスライダーと、該スライダーを前方方向へ常時付勢する付勢用ばねと、上記スライダーの最後部位置への移動後のメモリカードへの押し込み力の解錠時に上記スライダーを所定位置でロックし、該ロック後にメモリカードへの押し込み力が加わって上記スライダーが後方移動するときにロックを解除するロック手段とからなるメモリカード用コネクタ装置において、上記スライダーには、移動方向に直交し上記メモリカード挿入口を介して上記コネクタ本体内に挿入されるメモリカードの挿入方向の先端面を前面で受ける横片と、該横片の少なくとも一側端から移動方向に並行するように前方へ延出した脚片とを備え、上記金属板製のベースシェルには、上記スライダーの脚片の下面に対応する部位に後端がベースシェルに一体連結され、該連結部位から前端部に至る部位の板面が上記ベースシェルの上面と同じ向きで上下方向に撓み自在に配置した板ばね部を備え、該該板ばね部には上記連結部位から前端部に亘る部位の中間部にＺ字状に屈曲させて上向に突出する屈曲部を形成するとともに、上記前端部から上記スライダーの脚片に直交する方向に上記スライダー内へ延設して該スライダー内に先端を臨ませる延設片と該延設片の先端から更に脚片の内側側面に並行するように前方へ延設して形成した前方延設片と該前方延設片の先端を上向きに折り曲げて形成したロック部とを設け、上記スライダーの脚片には、上記板ばね部に対応する下面に、上記板ばね部を収容する下面開口で且つ上記ロック部をスライダー内へ突出させるように側面開口した凹所を設けるとともに、該凹所の天井面にメモリカードの挿入による上記スライダーの後方移動位置が所定位置に至るまで上記板ばね部の屈曲部の当接で上記板ばね部を下方に撓ませて上記ロック部の上端位置をメモリカードの側部の下面位置以下に規制し、上記スライダーの後方移動位置が所定位置に至ると規制を解除して上記ロック部をメモリカードの側部の下面位置より上方へ突出させるカム面を形成し、上記脚片に対応するメモリカードの一側部に設けた下面開口の凹部に下方から上記ロック部を係入してメモリカードをロックすることを特徴とする。
【００４４】
請求項６の発明では、請求項５記載の発明において、上記板ばね部が上記ベースシェルから切り起こしにより一体形成したものであることを特徴とする。
【００４５】
【発明の実施の形態】
以下本発明を実施形態により説明する。
【００４６】
（実施形態１）
本実施形態は、従来装置のようなロック片３８を用いず、図１に示すように代わりとなる板ばね部１００を金属板製のカバーシェル２に一体に設けた点と、この板ばね部１０に対応するようにスライダー５の脚片５ｃに板ばね部１００を揺動自在に収納する凹所２００と、板ばね部１００の前端に設けたロック部１０１をスライダー１内へ出没させるための開口部２０１を設けるとともに、ロック部１０１の出没を制御するカム面２０２等を設けた点で従来と相違するものである。尚その他の構成及び働きは従来と同じであるので、図示或いは説明を省略する。また図示される構成要素において、従来の装置と同じ構成要素には同じ符号を付す。
【００４７】
さて本実施形態のカバーシェル２は図１に示すようにスライダー５の脚片５ｃの上面の後部に対応する部位に後端を上記カバーシェル２に一体連結し、該連結部位１０２から前端部１０３までの板面がカバーシェル２の上面と直交する向きで、左右方向に揺動自在に切り起こしにより垂下させた上記板ばね部１００を備えている。
【００４８】
この板ばね部１００には、上記連結部位１０２から前端部１０３に亘る部位の中間部をＺ字状に屈曲させて内側方へ突出する屈曲部１０４を形成するとともに前端部１０３を内側方向に折り曲げてロック部１０１を形成している。
【００４９】
一方スライダー５の脚片５ｃには、板ばね部１００に対応する上面に板ばね部１００を収容する上面開口の凹所２００を設けるとともに、一端がスライダー５内に臨むように脚片５ｃの内側側面に開口し、他端が凹所２００に連通して上記ロック部１０１をスラーダー５内へ出没させる開口部２０１を設け、この開口部２０１より後方の凹所２００の側壁部３０３の内側面に、メモリカードＭＣの挿入によるスライダー５の後方移動位置が所定位置に至るまで屈曲部１０４の当接で板ばね部１００のロック部１０１を開口部２０１よりスライダー５内に突出しないように規制し、スライダー５の後方移動位置が所定位置に至ると規制を解除してロック部１０１を開口部２０１よりスライダー５内へ突出させるカム面２０２を形成している。またカム面２０２を形成している側壁部２０３の上面は凹所２００側へ下り傾斜している傾斜面２０４を設けてある。この傾斜面２０４はカバーシェル２をベースシェル１に被着する際に内側方向に弾発している板ばね部１００を滑らして凹所２００内へ落とし込むためのガイド面を構成する。尚２００ａは凹所２００の後端部の細幅部で、スライダー５の後端面に開口し、スライダー５の前後移動によって相対的に板ばね部１００が凹所２００内の移動を可能するものである。
【００５０】
次に本実施形態の主要部である板ばね部１００の動作について図２乃至図６により説明する。
【００５１】
図２及び図５（ａ）はメモリカードＭＣを挿着しない状態のコネクタ装置を示しており、この状態では、付勢用コイルばね１３，３の弾発力を受けてスライダー５がメモリカード挿入口４２方向（前方）に移動した状態にある。この状態ではばね部１００の屈曲部１０４がスライダー５の凹所２００内に面するカム面２０２により外側方向へ押され、前端部１０３のロック部１０４が開口部２０１からスライダー５内へ突出しないように規制されている状態にある。
【００５２】
次にメモリカードＭＣを前後方向及び表裏方向を正規な方向に向けてコネクタ本体３のメモリカード挿入口４２からコネクタ本体３内に挿入すると、やがてメモリカードＭＣの先部の片側に形成した傾斜カット部２７がスライダー５の張出部５ｅの傾斜面５ｄに衝合してスライダー５を後方へ押すことになる。また更にスライダー５に加わる付勢用コイルばね（図示せず）の弾発力に抗して更にメモリカードＭＣを押し入れると、メモリカードＭＣの移動に共動してスライダー５が後退することになる。
【００５３】
このスライダー５の後退に伴ってカム面２０２に当接している板ばね部１００の屈曲部１０４が更に外側方へ押されて板ばね部１００が撓み、図４及び図５（ｂ）に示すように前端部１０３のロック部１０１を凹所２００側へ引き込む。
【００５４】
そしてスライダー５がメモリカードＭＣとともに更に後退して所定位置に達すると、屈曲部１０４がカム面２０２から開口部２００側へ滑り落ち込み、そのため板ばね部１００の弾発力により前端部１０３のロック部１０１が開口部２００よりスライダー５内へ突出する。この突出位置は、丁度スライダー５の脚片５ｃの内側側面に接しているメモリカードＭＣの一側部に形成されている凹部３７の側面開口に対応しているため、ロック部１０１は図６（ａ）に示すように凹部３７の中央部に係入して、メモリカードＭＣをロックすることになる。この位置では凹部３７の前後面とロック部１０１との間には前後方向の移動を許容する隙間がある。
【００５５】
さて更にスライダー５をそれ以上の押し込みができなくなるまで後退させた最奥部の位置でメモリカードＭＣに加えていた押し込み力を解除すると、付勢用コイルばね（図示せず）の弾発力によりスライダー５がメモリカードＭＣと共に前方へ戻りかけるが、従来と同様にピンとハートカムとからなるロック機構によるロックでそれ以上のスライダー５の前方移動が規制され、図４及び図６（ｂ）に示すようにメモリカードＭＣはその位置でコネクタ本体３内に留まることになる。
【００５６】
そしてメモリカードＭＣは押し込みによってその先部が所定位置へ移動すると、スライダー５の中央片５ａの下面の凹溝３３…より前方へ突出せる各コンタクト１０…の先部がメモリカードＭＣの裏面に形成した対応するＩ／Ｏ接触面にコンタクト１０…の長さに応じて順次接触することになる。またスライダー５の中央片５ａの凹溝３３を介して前方へ突出せるスイッチ片３０ａの先部がメモリカードＭＣの傾斜カット部２７によって押されて他方のスイッチ片３０ｂに接触するとスイッチオンとなる。このスイッチ信号を利用して外部の検出回路（図示せず）によりメモリカードＭＣが正規位置に挿着されたことを検出することができる。
【００５７】
以上のように挿着されたメモリカードＭＣをコネクタ装置より取り出すときには、まずコネクタ本体３のメモリカード挿入口４２より露出せるメモリカードＭＣの後部を挿入方向に押してスライダー５とともにメモリカードＭＣを最奥部方向へ移動させる。この移動によって上記ハートカムを用いたロック機構のロック状態が解除されて図６（ｂ）の状態から図６（ａ）の状態に戻り、更に付勢用コイルばねの弾発力により前方へ移動することなる。この移動によりカバーシェル２の板ばね部１００の屈曲部１０４がカム面２０２に乗り上げて板ばね部１００が外方向へ撓み、前端部１０３のロック部１０１がメモリカードＭＣの凹部３７から離脱して（図５（ｂ））、メモリカードＭＣのロックを解除する。
【００５８】
同時にスライダー５は付勢用コイルばねの弾発力によりメモリカード挿入口４２側へ移動して図２（図５（ａ））の状態に復帰することになり、メモリカードＭＣの後部がコネクタ本体３のメモリカード挿入口４２から外部へ大きく露出し、メモリカードＭＣをコネクタ本体３から取り出すことができることになる。
【００５９】
尚本実施形態の板ばね部１００はベースシェル１と一体形成したものであるが、別のばね材をプレス加工して所定の形状に形成し、かしめ或いはレーザ溶接やスポット溶接で一体連結しても良い。
【００６０】
また本実施形態ではＳＤメモリのような凹部３７を備えたメモリカードＭＣ以外に、凹部３７を備えていない他は外形状が同じマルチメモリカード（ＭＭＣ）にも対応しており、このマルチメモリカードからなるメモリカードが挿着される場合には、ロック部１０１がメモリカードの側面で押されることで板ばね部１００が背方へ撓むようになっている。
【００６１】
尚コンタクト装置を凹部３７を備えたメモリカードＭＣ専用とする場合には、凹所２００の前端部の上底面に、図１において想像線で示すように板ばね部１００の背方への撓み規制用突部２０５を一体に設けておけば、板ばね部１００が振動などで背方、つまり外側方へ撓んでも突部２０５でその撓みを規制してロック部１０１が凹所２００から離脱するのを防止することもできる。
【００６２】
（実施形態２）
上記実施形態１は板ばね部１００をカバーシェル２と一体化したものであるが、本実施形態は板ばね部１００をベースシェル１と一体化したものである。
【００６３】
つまり、図７（ａ）〜（ｃ）に示すようにスライダー５の脚片５ｃの下面に対応するベースシェル１の部位に後端がベースシェル１に一体連結され、該連結部位から前端部に至る部位の板面がベースシェル１の上面と同じ向きで上下方向に撓み自在に板ばね部１００を備えている。
【００６４】
板ばね部１００は上記連結部位１０２から前端部１０３に亘る部位の中間部にＺ字状に屈曲させて上向に突出する屈曲部１０４を形成するとともに、上記前端部１０３からスライダー５の脚片５ｃに直交する方向にスライダー５内へ延設して該スライダー５内に先端を臨ませる延設片１０５と該延設片１０５の先端から更に脚片５ｃの内側側面に並行するように前方へ延設して形成した前方延設片１０６と該前方延設片１０６の先端を上向きに折り曲げて形成したロック部１０１とを設けてある。
【００６５】
スライダー５の脚片５ｃは、図８、図９に示すように板ばね部１００に対応する下面に、上記板ばね部１００を収容する下面開口で且つロック部１０１をスライダー５内へ突出させるために内側側面が開口した凹所３００を設けるとともに、凹所３００の天井面にメモリカードＭＣの挿入によるスライダー５の後方移動位置が所定位置に至るまで板ばね部１００の屈曲部１０４の当接で板ばね部１００を下方に撓ませてロック部１０１の上端位置をメモリカードＭＣの両側の下向き段部１９の下面位置以下に規制し、上記スライダー５の後方移動位置が所定位置に至ると規制を解除してロック部１０１をメモリカードＭＣの下面位置より上方へ突出させるカム面３０２を形成している。
【００６６】
尚その他の構成は従来のコネクタ装置と同じであるので、同じ構成要素には同じ符号を付して説明を省略する。
【００６７】
而して、図７（ａ）に示すメモリカードＭＣを挿入する前と、図７（ｂ）に示すようにメモリカードＭＣを前後方向及び表裏方向を正規な方向に向けてコネクタ本体３のメモリカード挿入口４２からコネクタ本体３内に挿入して、メモリカードＭＣの先部の片側に形成した傾斜カット部２７をスライダー５の張出部５ｅの傾斜面５ｄに衝合させてスライダー５と共に所定位置まで後方移動させるまでは、板ばね部１００は屈曲部１０４がカム面３０２によって下向きに押されて下方へ撓んでおり、そのためロック部１０１の上端は対向するメモリカードＭＣの下向き段部１９の下面位置以下へ下がっている。
【００６８】
この状態で更にスライダー５に加わる付勢用コイルばね（図示せず）の弾発力に抗して更にメモリカードＭＣを押し入れると、メモリカードＭＣの移動に共動してスライダー５が後退することになる。
【００６９】
このスライダー５の後退に伴ってカム面３０２に当接している板ばね部１００の屈曲部１０４が更に下方へ押されて板ばね部１００下方へが撓み、ロック部１０１を下方へ移動させる。
【００７０】
そしてスライダー５がメモリカードＭＣとともに更に後退して所定位置に達すると、屈曲部１０４がカム面２０２から外れて上方向へ移動し、そのため板ばね部１００の弾発力によりロック部１０１が上方へ移動することになる。このときロック部１０１の上端は脚片５ｃの内側側面に接しているメモリカードＭＣの一側面に形成されている凹部３７の下面開口に対応しているため、ロック部１０１は凹部３７に図７（ｃ）に示すように凹部３７の中央部に係入してメモリカードＭＣをロックすることになる。この位置では凹部３７の前後面とロック部１０１との間には前後方向の移動を許容する隙間がある。
【００７１】
更にスライダー５をそれ以上の押し込みができなくなるまで後退させた最奥部の位置でメモリカードＭＣに加えていた押し込み力を解除すると、付勢用コイルばね（図示せず）の弾発力によりスライダー５がメモリカードＭＣと共に前方へ戻りかけるが、従来と同様にピンとハートカムとのロック機構でのそれ以上のスライダー５の前方移動が規制され、図８に示すようにメモリカードＭＣはその位置でコネクタ本体３内に留まることになる。
【００７２】
メモリカードＭＣは押し込みによってその先部が所定位置へ移動すると、スライダー５の中央片５ａの下面の凹溝３３…より前方へ突出せる各コンタクト１０…の先部がメモリカードＭＣの裏面に形成した対応するＩ／Ｏ接触面にコンタクト１０…の長さに応じて順次接触することになる。またスライダー５の中央片５ａの凹溝３３を介して前方へ突出せるスイッチ片３０ａの先部がメモリカードＭＣの傾斜カット部２７によって押されて他方のスイッチ片３０ｂに接触するとスイッチオンとなる。このスイッチ信号を利用して外部の検出回路（図示せず）によりメモリカードＭＣが正規位置に挿着されたことを検出することができる。
【００７３】
以上のように挿着されたメモリカードＭＣをコネクタ装置より取り出すときには、まずコネクタ本体３のメモリカード挿入口４２より露出せるメモリカードＭＣの後部を挿入方向に押してスライダー５とともにメモリカードＭＣを最奥部方向へ移動させる。この移動によって上記ハートカムを用いたロック機構のロック状態が解除されて図７（ｂ）の状態から図７（ａ）の状態に戻り、更に付勢用コイルばねの弾発力により前方へ移動することなる。この移動によりカバーシェル２の板ばね部１００の屈曲部１０４がカム面３０３に乗り上げて板ばね部１００が下方向へ撓み、ロック部１０１がメモリカードＭＣの凹部３７から離脱してメモリカードＭＣのロックを解除する。
【００７４】
同時にスライダー５は付勢用コイルばねの弾発力によりメモリカード挿入口４２側へ移動して図７（ａ）の状態復帰することになり、メモリカードＭＣの後部がコネクタ本体３のメモリカード挿入口４２から外部へ大きく露出し、メモリカードＭＣをコネクタ本体３から取り出すことができることになる。
【００７５】
尚板ばね部１００はベースシェル１と別部材でプレス加工で形成してしてかしめやレーザ溶接やスポット溶接で一体連結しても良い。
【００７６】
【発明の効果】
請求項１の発明は、上記のように構成したメモリカード用コネクタ装置において、スライダーには、移動方向に直交し上記メモリカード挿入口を介して上記コネクタ本体内に挿入されるメモリカードの挿入方向の先端面を前面で受ける横片と、該横片の少なくとも一側端から移動方向に並行するように前方へ延出した脚片とを備え、金属板製のカバーシェルには、上記スライダーの脚片の上面に対応する部位に後端が上記カバーシェルに一体連結され、該連結部位から前端部までの板面が上記カバーシェルの上面と直交する向きで、左右方向に揺動自在に垂下させた板ばね部を備え、板ばね部には、上記連結部位から前端部に亘る部位の中間部をＺ字状に屈曲させて内側方へ突出する屈曲部を形成するとともに前端部を内側方向に折り曲げてロック部を形成し、スライダーの脚片には、上記板ばね部に対応する上面に上記板ばね部を収容する上面開口の凹所を設けるとともに、一端が内側側面に開口し、他端が凹所に連通して上記ロック部をスラーダー内へ出没させる開口部を設け、該開口部より後方に位置する凹所の側壁の内側面に、メモリカードの挿入による上記スライダーの後方移動位置が所定位置に至るまで上記屈曲部の当接で上記ロック部が上記開口部より上記スライダー内に突出しないように規制し、上記スライダーの後方移動位置が所定位置に至ると規制を解除して上記ロック部を上記開口部より上記スライダー内へ突出させるカム面を形成し、脚片の内側面より上記スライダー内へ突出する上記ロック部を上記脚片に対応するメモリカードの一側部に設けた凹部に係入してメモリカードをロックするので、メモリカードの脱落防止のためのロック手段を、カバーシェルに一体連結した板ばね部により構成しているので、カバーシェルとともに一つの部品として取り扱え、そのため組み付け作業も別部品のロック片を組み付ける場合に比べて容易で工数も削減できるという効果がある。
【００７７】
請求項２の発明は、請求項１の発明において、上記凹所の側壁の上面に該凹所側へ傾斜した傾斜面を形成しているので、カバーシェルをベースシェルに被着する際に板ばね部をスライダーの傾斜面にガイドさせて凹所内に落とし込むことができ、板ばね部がつかえて変形することなく、またスライダーの前後位置を気にすることなく組み付け作業が容易に行える。
【００７８】
請求項３の発明は、請求項１又は２記載の上記ロック部がメモリカードの凹部に係入している状態で、該ロック部の背方に位置する上記凹所の底面に、上記板ばね部の背方への撓みによる上記ロック部の上記凹部からの離脱を防止する撓み規制用突部を一体に設けてあるので、ロック状態にある板ばね部が振動などで撓んでロック部がメモリカードの凹部から離脱するのを防ぐことができる。
【００７９】
請求項４の発明では、請求項１乃至３の何れかの発明において、上記板ばね部が上記カバーシェルから切り起こしにより一体形成したものであるので、カバーシェルの製作と同時に一体形成することができる。
【００８０】
請求項５の発明は、上述のメモリカード用コネクタ装置において、スライダーには、移動方向に直交し上記メモリカード挿入口を介して上記コネクタ本体内に挿入されるメモリカードの挿入方向の先端面を前面で受ける横片と、該横片の少なくとも一側端から移動方向に並行するように前方へ延出した脚片とを備え、金属板製のベースシェルには、上記スライダーの脚片の下面に対応する部位に後端がベースシェルに一体連結され、該連結部位から前端部に至る部位の板面が上記ベースシェルの上面と同じ向きで上下方向に撓み自在に配置した板ばね部を備え、
該板ばね部には、上記連結部位から前端部に亘る部位の中間部にＺ字状に屈曲させて上向に突出する屈曲部を形成するとともに、上記前端部から上記スライダーの脚片に直交する方向に上記スライダー内へ延設して該スライダー内に先端を臨ませる延設片と該延設片の先端から更に脚片の内側側面に並行するように前方へ延設して形成した前方延設片と該前方延設片の先端を上向きに折り曲げて形成したロック部とを設け、上記スライダーの脚片には、上記板ばね部に対応する下面に、上記板ばね部を収容する下面開口で且つ上記ロック部をスライダー内へ突出させるように側面開口した凹所を設けるとともに、該凹所の天井面にメモリカードの挿入による上記スライダーの後方移動位置が所定位置に至るまで上記板ばね部の屈曲部の当接で上記板ばね部を下方に撓ませて上記ロック部の上端位置をメモリカードの側部の下面位置以下に規制し、上記スライダーの後方移動位置が所定位置に至ると規制を解除して上記ロック部をメモリカードの側部の下面位置より上方へ突出させるカム面を形成し、上記脚片に対応するメモリカードの一側部に設けた下面開口の凹部に下方から上記ロック部を係入してメモリカードをロックするので、メモリカードの脱落防止のためのロック手段を、ベースシェルに一体連結した板ばね部により構成しているので、ベースシェルとともに一つの部品として取り扱え、そのため部品点数が少なくなる上に組み付け作業も別部品のロック片を組み付ける場合に比べて容易で工数も削減できるという効果がある。
【００８１】
請求項６の発明は、請求項５記載の発明において、上記板ばね部が上記ベースシェルから切り起こしにより一体形成したので、ベースシェルの製作と同時に一体形成することができる。
【図面の簡単な説明】
【図１】本発明の実施形態１の要部の分解斜視図である。
【図２】同上のメモリカード挿入前の要部の状態説明図である。
【図３】同上のメモリカードの挿入によるスライダーの所定位置移動時の要部の状態説明図である。
【図４】同上のメモリカードの挿入によるスライダーの最奥部への移動時の要部の状態説明図である。
【図５】（ａ）は同上のメモリカード挿入直前の状態説明図である。（ｂ）は同上のメモリカードとスライダーの衝合時（ロック解除時）の状態説明図である。
【図６】（ａ）は同上のスライダーの所定位置移動時（通常使用時）の状態説明図である。
（ｂ）同上のスライダーの最奥部移動状態の状態説明図である。
【図７】本発明の実施形態２の動作説明図である。
【図８】同上のメモリカードロックの非ロック状態の下面側から見た透視図である。
【図９】（ａ）同上のスライダーの一部省略せる脚片の上面図である。（ｂ）は同上のスライダーの一部省略せる脚面の側面図である。（ｃ）は同上のスライダーの一部省略せる脚片の下面図である。（ｄ）は（ａ）のＸ−Ｘ断面図である。
【図１０】従来例の分解斜視図である。
【図１１】同上の斜視図である。
【図１２】（ａ）は同上のベースシェルの背面図である。（ｂ）は同上のベースシェルの上面図である。（ｃ）は同上のベースシェルの正面図である。（ｄ）は同上のベースシェルの一側面図である。
【図１３】（ａ）は同上のカバーシェルの背面図である。（ｂ）は同上のカバーシェルの上面図である。（ｃ）は同上のカバーシェルの正面図である。（ｄ）は同上のカバーシェルの一側面図である。
【図１４】（ａ）は同上のコンタクトブロックの背面図である。（ｂ）は同上のコンタクトブロックの上面図である。（ｃ）は同上のコンタクトブロックの一側断面図である。（ｄ）は同上のコンタクトブロックの正面図である。（ｅ）は同上のコンタクトブロックの所定位置の側断面図である。（ｆ）は同上のコンタクトブロックの他側断面図である。
【図１５】（ａ）は同上のスライダーの一側面図である。（ｂ）は同上のスライダーの上面図である。（ｃ）は同上のスライダーの他側面図である。（ｄ）は同上のスライダーの背面図である。
【符号の説明】
２　カバーシェル
５　スライダー
５ｃ　脚片
３７　凹部
１００　板ばね部
１０１　ロック部
１０２　連結部位
１０３　前端部
１０４　屈曲部
２００　凹所
２０１　開口部
２０２　カム面
２０３　側壁部
２０４　傾斜面
ＭＣ　　メモリカード
【図１】
2004071175.tif 000003
【図２】
2004071175.tif 000004
【図３】
2004071175.tif 000005
【図４】
2004071175.tif 000006
【図５】
2004071175.tif 000007
【図６】
2004071175.tif 000008
【図７】
2004071175.tif 000009
【図８】
2004071175.tif 000010
【図９】
2004071175.tif 000011
【図１０】
2004071175.tif 000012
【図１１】
2004071175.tif 000013
【図１２】
2004071175.tif 000014
【図１３】
2004071175.tif 000015
【図１４】
2004071175.tif 000016
【図１５】
2004071175.tif 000017